(57)【要約】【課題】多波長分光器を用いた複数の光学濃度計の相互間に生じる波長ズレを、校正用の光源などの付加的な装備を要することなく、非常に簡易にしかも高精度に補正できるようにする。【解決手段】多波長分光器を用いた複数の光学濃度計１ａ〜１ｅの相互間に生じる波長ズレを補正する、光学濃度計の補正方法であって、複数の光学濃度計１ａ〜１ｅごとに、多波長分光器の光路上に共通のバンドパスフィルタ２０を配置して、バンドパスフィルタ２０の分光透過率Ｄａ〜Ｄｅを測定するとともに、複数の光学濃度計１ａ〜１ｅごとに、共通のバンドパスフィルタ２０を用いて測定した分光透過率データＤａ〜Ｄｅが示す中心波長λａ〜λｅと予め設定された基準中心波長λｒとの波長ズレΔＷａ〜ΔＷｅを補正する。【選択図】図２
2014145664.tif 000002
【特許請求の範囲】
【請求項１】
多波長分光器を用いた複数の光学濃度計の相互間に生じる波長ズレを補正する、光学濃度計の補正方法であって、
前記複数の光学濃度計ごとに、前記多波長分光器の光路上に共通のバンドパスフィルタを配置して、前記バンドパスフィルタの分光透過率を測定するとともに、
前記複数の光学濃度計ごとに、前記共通のバンドパスフィルタを用いて測定した分光透過率データが示す中心波長と予め設定された基準中心波長との波長ズレを補正する
ことを特徴とする光学濃度計の補正方法。
【請求項２】
前記バンドパスフィルタの分光透過率を校正用の基準濃度計を用いて測定し、この測定によって得られた分光透過率データが示す中心波長を前記基準中心波長として設定する
ことを特徴とする請求項１に記載の光学濃度計の補正方法。
【請求項３】
前記複数の光学濃度計ごとに、光の透過波長が異なる複数のバンドパスフィルタを共通に用いて、前記複数のバンドパスフィルタの分光透過率をそれぞれ測定するとともに、前記測定した各バンドパスフィルタの分光透過率データが示す中心波長と各々のバンドパスフィルタ別に予め設定された基準中心波長との波長ズレを補正する
ことを特徴とする請求項１または２に記載の光学濃度計の補正方法。
【請求項４】
複数の異なる波長を計測波長とし、各々の計測波長における眼鏡レンズの濃度を光学濃度計を用いて計測する計測工程を含む眼鏡レンズの製造方法であって、
前記計測工程では、請求項１〜３のいずれかに記載の光学濃度計の補正方法により波長ズレを補正した複数の光学濃度計を用いる
ことを特徴とする眼鏡レンズの製造方法。
【発明の詳細な説明】
【技術分野】
【０００１】
本発明は、光学濃度計の補正方法および眼鏡レンズの製造方法に関する。
【背景技術】
【０００２】
光学濃度計の一つとして、モノクロメータと呼ばれる単波長光量検出器と分光素子（グレーティング等）の組み合わせで実現されたものが知られている。この種の光学濃度計は、たとえば、フィルタ方式の場合にはフィルタ自体の精度向上、グレーティング方式の場合にはグレーティング選定、駆動部調整（カム、サインバー方式）等により、比較的精度よく波長設定を行うことが可能となっている。その反面、たとえば、視感透過率τＶを分光透過率τ（λ）から計算するときなど、複数の波長の計測を行う場合、フィルタ方式では構造上不可能に近く、グレーティング方式では非常に長い計測時間を要してしまうなど、定常的な工程管理の利用には不向きなものとなっている。
【０００３】
一方、ポリクロメータと呼ばれる多波長分光器を用いた光学濃度計も知られている。この種の光学濃度計では、一度に紫外域から可視域までの全波長の濃度計測が可能である。このため、多波長分光器を用いた光学濃度計を使用した場合は、複数の波長の計測結果を利用する工程管理や、視感透過率測定など、モノクロメータでは実現が難しい計測にも対応することが可能である。
【０００４】
多波長分光器を用いた光学濃度計などの測定装置は、その製造時に低圧水銀ランプの輝線スペクトルなどを用いて、受光素子の分光感度の振幅や中心波長、半値幅を校正した上で出荷している。ところが、出荷後に、経時劣化や周囲温度変化などによって受光素子の分光感度が波長分光方向（以下「波長方向」ともいう）にシフトすると、測定精度が低下するという問題がある。
【０００５】
たとえば、一般に受光素子としては、複数の画素を有する光電変換素子が用いられる。各々の画素は、分光素子の波長分光方向に所定間隔で配列され、それぞれ異なる波長の光を受光して光強度に応じた電気信号を出力する。その場合、経時劣化などによって受光素子と分光素子との相対位置が波長分光方向に変化すると、受光素子の分光感度が波長分光方向にシフトする、いわゆる波長ズレを起こすことになる。
【０００６】
そこで従来においては、多波長分光器を用いた測定装置に関して、以下のような波長補正方法が提案されている。
【０００７】
たとえば、特許文献１には、モノクロメータから出射する単色光を、校正しようとするポリクロメータに入射させ、モノクロメータの波長走査を行って、ポリクロメータの検出面を構成する光電変換素子の各単位画素ごとにその単位画素の出力が最大となるモノクロメータの波長値を検出し、その単位画素の波長とする方法が記載されている。
また、特許文献２には、測定用の光源とは別に、水銀、アルゴン、クリプトン、ネオン、キセノンなどの既知の輝線波長の輝線を出力する校正用光源を備え、波長変化量を導出する際には、この校正用光源を用いて、輝線波長に隣接する複数の測定波長に対応する受光部からの出力比を用いて輝線出力の波長を推定し、この推定した輝線出力の波長と既知の輝線波長との差から波長変化量を推定し、波長校正を行う技術が記載されている。
また、特許文献３には、分光データからキセノンの輝線波長を検出し、その波長が予め定められているキセノンの輝線波長に対する波長シフト量を算出し、その波長シフト量で分光部の波長校正データを補正する方法が記載されている。
【先行技術文献】
【特許文献】
【０００８】
【特許文献１】特開２００５−６９７８４号公報
【特許文献２】特開２００５−４３１５３号公報
【特許文献３】特開２０１１−２４２３１４号公報
【発明の概要】
【発明が解決しようとする課題】
【０００９】
しかしながら、上記従来の技術においては、（１）ユーザの使用現場で波長変化量（波長シフト量）を検出するための校正用光源などの装備を予め装置製作時に組み込んでおく必要がある、（２）装置構成が大掛かりになる、（３）装置のメンテナンスが面倒になる、などの難点があるほか、以下のような課題がある。
【００１０】
すなわち、校正用の光源は、被測定物の測定に用いる常用の光源とは異なるため、光学部品の個体差、周辺温度、その他の要因によって分光器にわずかな波長のズレが生じることがある。また、一般的な多波長分光器を光学濃度計に用いる場合、それを製造、提供するメーカ内では十分に調整されていても、メーカの仕様範囲内ながら微小な波長ズレが生じることがある。
【００１１】
このため、複数の光学濃度計を用いる場合は、個々の光学濃度計に生じる微小な波長ズレが、複数の光学濃度計の相互間に生じる波長ズレ（器差）ともなってあらわれる。したがって、多波長分光器を用いた複数の光学濃度計を特定の用途で使用する場合に、波長ズレに起因した問題が顕在化することがある。具体的には、たとえば、眼鏡レンズを製造する工場内に、多波長分光器を用いた複数の光学濃度計を設置し、複数の波長を計測波長として眼鏡レンズの濃度を計測するときに、上記の微小な波長ズレが計測結果に影響を与えることがある。
【００１２】
すなわち、濃度計測の対象となる多数の眼鏡レンズを、生産性確保のために複数の光学濃度計に振り分けながら、各々の光学濃度計を用いて眼鏡レンズの濃度を測定する場合に、ある光学濃度計で測定した眼鏡レンズの濃度と、これと別の光学濃度計で測定した眼鏡レンズの濃度とが、仮に同じ眼鏡レンズを測定したとしても、濃度測定値に許容範囲を超える誤差が生じることがある。具体例を挙げると、計測波長の近傍にピークや急峻な濃度変化がある眼鏡レンズを測定する場合に、複数の光学濃度計の相互間に生じる波長ズレが計測結果（たとえば、良否判定など）に影響を与えてしまう可能性がある。
【００１３】
本発明の主な目的は、多波長分光器を用いた複数の光学濃度計の相互間に生じる波長ズレを、校正用の光源などの付加的な装備を要することなく、非常に簡易にしかも高精度に補正することができる技術を提供することにある。
【課題を解決するための手段】
【００１４】
本発明の第１の態様は、
多波長分光器を用いた複数の光学濃度計の相互間に生じる波長ズレを補正する、光学濃度計の補正方法であって、
前記複数の光学濃度計ごとに、前記多波長分光器の光路上に共通のバンドパスフィルタを配置して、前記バンドパスフィルタの分光透過率を測定するとともに、
前記複数の光学濃度計ごとに、前記共通のバンドパスフィルタを用いて測定した分光透過率データが示す中心波長と予め設定された基準中心波長との波長ズレを補正する
ことを特徴とする光学濃度計の補正方法である。
【００１５】
本発明の第２の態様は、
前記バンドパスフィルタの分光透過率を校正用の基準濃度計を用いて測定し、この測定によって得られた分光透過率データが示す中心波長を前記基準中心波長として設定する
ことを特徴とする上記第１の態様に記載の光学濃度計の補正方法である。
【００１６】
本発明の第３の態様は、
前記複数の光学濃度計ごとに、光の透過波長が異なる複数のバンドパスフィルタを共通に用いて、前記複数のバンドパスフィルタの分光透過率をそれぞれ測定するとともに、前記測定した各バンドパスフィルタの分光透過率データが示す中心波長と各々のバンドパスフィルタ別に予め設定された基準中心波長との波長ズレを補正する
ことを特徴とする上記第１または第２の態様に記載の光学濃度計の補正方法である。
【００１７】
本発明の第４の態様は、
複数の異なる波長を計測波長とし、各々の計測波長における眼鏡レンズの濃度を光学濃度計を用いて計測する計測工程を含む眼鏡レンズの製造方法であって、
前記計測工程では、上記第１〜第３の態様のいずれかに記載の光学濃度計の補正方法により波長ズレを補正した複数の光学濃度計を用いる
ことを特徴とする眼鏡レンズの製造方法である。
【発明の効果】
【００１８】
本発明によれば、多波長分光器を用いた複数の光学濃度計の相互間に生じる波長ズレを、校正用の光源などの付加的な装備を要することなく、非常に簡易にしかも高精度に補正することができる。
【図面の簡単な説明】
【００１９】
【図１】本発明の実施の形態に係る「光学濃度計の補正方法」を適用可能な光学濃度計の構成例を示す概略図である。
【図２】本発明の実施の形態に係る「光学濃度計の補正方法」の一例を示す概念図である。
【図３】本発明の実施の形態に係る光学濃度計の補正方法を実施したときの、補正前後の濃度測定結果を示す図である。
【図４】透過波長がλｋ１（ｎｍ）のバンドパスフィルタの分光透過率を５つの光学濃度計で測定した結果を示す図である。
【図５】透過波長がλｋ２（ｎｍ）のバンドパスフィルタの分光透過率を５つの光学濃度計で測定した結果を示す図である。
【図６】透過波長がλｋ３（ｎｍ）のバンドパスフィルタの分光透過率を５つの光学濃度計で測定した結果を示す図である。
【図７】透過波長がλｋ４（ｎｍ）のバンドパスフィルタの分光透過率を５つの光学濃度計で測定した結果を示す図である。
【図８】透過波長がλｋ５（ｎｍ）のバンドパスフィルタの分光透過率を５つの光学濃度計で測定した結果を示す図である。
【図９】本発明の他の実施の形態に係る「光学濃度計の補正方法」の一例を示す概念図である。
【発明を実施するための形態】
【００２０】
以下、本発明の実施の形態について図面を参照しつつ詳細に説明する。
図１は本発明の実施の形態に係る「光学濃度計の補正方法」を適用可能な光学濃度計の構成例を示す概略図である。
図示した光学濃度計１は、多波長分光器２を用いて構成されている。多波長分光器２は、光源３から出射された光を分光するものである。多波長分光器２は、スリット４と、透過型グレーティング（以下「グレーティング」と略称）５と、光電変換素子６と、を含む光学系によって構成されている。これらの光学系の構成要素は、光学濃度計１によって被測定物の濃度を測定するときに、光源３を含めて、そのまま使用されるものである。
【００２１】
光源３は、被測定物の濃度測定に使用する光を出射するものである。スリット４は、光源３から出射された光の空間的な広がりを制限するものである。このスリット４には細い隙間が形成されている。このため、光源３から出射された光はスリット４の隙間を通してグレーティング５側に進む。
【００２２】
グレーティング５は分光素子の一例として設けられたものである。グレーティング５は、スリット４を通過した光を波長ごとに異なる回折角度で出射することにより分光（波長分離）するものである。光電変換素子６は受光素子の一例として設けられたものである。光電変換素子６は、たとえば、リニアイメージセンサを用いて構成されている。リニアイメージセンサの受光面には、複数（多数）の画素を所定の間隔で直線状に並べた画素列が形成されている。グレーティング５で分光された各波長帯の光（スペクトル）は、光電変換素子６の受光面に照射される。光電変換素子６の受光面に並んでいる各々の画素は、それぞれ入射した光の強度に比例する電気信号を出力する。
【００２３】
また、光学濃度計１は、上述した多波長分光器２の構成要素のほかに、データ処理部１１と、操作部１２と、表示部１３と、制御部１４と、を備えている。データ処理部１１は、光電変換素子６から画素単位で出力される電気信号を分光データとして取り込み、この分光データに所定の処理を施すものである。所定の処理には、種々の処理が含まれる。一例を挙げると、データ処理部１１は、グレーティング５で分光された各波長の透過率（分光透過率）を、光電変換素子６から出力された電気信号の値を用いて演算により求める。この演算によって求まる分光透過率のデータは、被計測物の分光透過率曲線を示すデータとなる。データ処理部１１が行う他のデータ処理については、後段で説明する。
【００２４】
操作部１２は、光学濃度計１を使用するユーザの入力を受け付けて、その入力された指示、内容等を制御部１４に通知するものである。表示部１３は、多波長分光器２を用いて被測定物の濃度を測定した結果等を表示するものである。表示部１３は、たとえば、液晶表示パネルなどを用いて構成することが可能である。制御部１４は、操作部１２を介して入力されるユーザからの指示に基づいて、データ処理部１１および表示部１３を制御するものである。
【００２５】
上記構成からなる光学濃度計１を用いて被測定物の濃度を測定する場合は、まず、多波長分光器２の光学系の光路上において、予め設定された位置に被測定物をセットする。たとえば、被測定物をセットする位置が、スリット４からグレーティング５に至る光路の途中に設定されている場合は、この位置に光路（図中、一点鎖線で示す）を遮るように被測定物の一例となる眼鏡レンズ７をセットする。
【００２６】
次に、操作部１２を介してユーザから濃度測定の実行が指示されると、その指示内容が操作部１２から制御部１４に通知される。そうすると、制御部１４は、予め設定された測定モードにしたがってデータ処理部１１および表示部１３を制御する。これにより、光源３から出射された光は、スリット４および眼鏡レンズ７を順に透過してグレーティング５に到達し、このグレーティング５によって波長ごとに分光された状態で光電変換素子６の受光面に入射する。その結果、光電変換素子６からは、各波長の光強度に応じた電気信号が分光データとして出力され、この分光データがデータ処理部１１によって処理される。そして、この処理によって得られた濃度測定の結果が、たとえば数値やグラフなどで表示部１３に表示される。
【００２７】
被測定物となる眼鏡レンズ７の濃度を複数の波長で測定し計測する場合は、各波長における眼鏡レンズの濃度を分光透過率のデータから求める。たとえば、眼鏡レンズの濃度測定で計測の対象とする光の波長が、λｋ１（ｎｍ）、λｋ２（ｎｍ）、λｋ３（ｎｍ）、λｋ４（ｎｍ）、λｋ５（ｎｍ）の５つの波長であるとすると、データ処理部１１は、光電変換素子６から出力された電気信号に基づく分光透過率データから、各波長の分光透過率（％）の値を濃度測定値として読み出す。このとき、データ処理部１１は、予め設定された波長補正値を用いて、分光透過率データから濃度測定値を読み出す。波長補正値は、後述する波長ズレ補正処理により設定されるものである。波長補正値は、波長ズレの方向性の違いにより、正の値をとる場合と、負の値をとる場合がある。
【００２８】
また、データ処理部１１は、各々の波長ごとに、分光透過率データから読み出した濃度測定値が予め設定された許容範囲内に収まっているかどうかを確認する。そして、濃度測定値が許容範囲内であれば良品と判断し、濃度測定値が許容範囲外であれば不良品を判断する。この良否の判断は、濃度測定の結果（分光透過率データ、各波長の濃度測定値など）とともに、表示部１３に表示される。
【００２９】
このような眼鏡レンズの濃度に関する計測工程は、たとえば、眼鏡レンズの染色を終えた段階や、眼鏡レンズを出荷する前の段階で行われる。また、計測工程においては、所望の生産性を確保するために、複数の光学濃度計１を並列的に使用して、眼鏡レンズ７の濃度を測定し評価する。具体的には、ある眼鏡レンズ７ａについては光学濃度計１ａで濃度測定を行ってその良否を判断し、別の眼鏡レンズ７ｂについては光学濃度計１ｂで濃度測定を行ってその良否を判断する。このため、濃度測定に際して、光学濃度計１ａと光学濃度計１ｂとの間に器差（波長ズレ）があると、良否判定に影響をおよぼすおそれがある。以下、詳しく説明する。
【００３０】
眼鏡レンズ７の濃度を光学濃度計１で測定する場合は、多波長分光器２を用いて得られた分光透過率のデータが、各波長での眼鏡レンズ７の濃度を示すデータとして取り扱われる。このため、濃度測定の計測波長の一つがλｋ３（ｎｍ）であるとすると、データ処理部１１においては、λｋ３（ｎｍ）における眼鏡レンズ７の分光透過率の値を、多波長分光器２を用いて得られた分光透過率データから抽出し、その値が許容範囲内に収まっているかどうかを確認する。その場合、被測定物となる眼鏡レンズ７の分光透過率特性として、λｋ３（ｎｍ）付近に分光透過率のピーク（最大値）や急峻な濃度変化がある眼鏡レンズ７の場合は、光学濃度計１を一台で使用している状況ではほとんど問題にならない程度の微小な波長ズレでも、濃度測定の計測結果に影響を与えるおそれがある。具体的には、工場等で多量に製造される眼鏡レンズ７を上述のように複数台の光学濃度計１に振り分けながら、各々の光学濃度計１で濃度の測定を行う場合に、それらの器差が濃度測定の計測結果（良否判定）に影響を与えてしまうことがある。なぜなら、上記の分光透過率特性を有する眼鏡レンズ７を測定する場合は、光学濃度計１に生じる波長ズレが微小なものであっても、濃度測定値に数％程度の誤差が生じることがあり、この誤差に起因して、ある光学濃度計１で測定したときは良品と判断された眼鏡レンズが、別の光学濃度計１で測定したときには不良品と判断される可能性があるからである。
【００３１】
そこで、本発明の実施の形態においては、以下に述べる「光学濃度計の補正方法」により、複数の光学濃度計１の相互間に生じる波長ズレを補正することとした。
【００３２】
図２は本発明の実施の形態に係る「光学濃度計の補正方法」の一例を示す概念図である。
この補正方法では、５台の光学濃度計１ａ〜１ｅの相互間に生じる波長ズレを補正するために、これらの光学濃度計１ａ〜１ｅに対して共通のバンドパスフィルタ２０を用いる。バンドパスフィルタ２０は、特定の波長の光だけを透過するフィルタ（干渉フィルタ）である。このバンドパスフィルタ２０を共通に使用して、各々の光学濃度計１ａ〜１ｅごとに波長ズレ補正処理を行う。
【００３３】
以下に、光学濃度計１ａを例にとって波長ズレ補正処理の具体的な内容を説明する。
まず、多波長分光器２の光学系（図１を参照）の中に、眼鏡レンズ（被測定物）７に代えて、バンドパスフィルタ２０を配置する。つまり、通常の測定モード（濃度測定）のときには眼鏡レンズ７が配置される位置に、眼鏡レンズ７の代わりにバンドパスフィルタ２０を配置する。バンドパスフィルタ２０は、光源３から出射された光がスリット４を透過してバンドパスフィルタ２０に入射するように、多波長分光器２の光路上に配置する。
【００３４】
次に、操作部１２を操作することにより、多波長分光器２を用いたバンドパスフィルタ２０の分光透過率の測定を実施する。このとき、多波長分光器２の状態は、被測定物を眼鏡レンズ７からバンドパスフィルタ２０に代えた以外は、通常の測定モードと同じ状態にする。これにより、光源３から出射された光は、スリット４およびバンドパスフィルタ２０を順に透過してグレーティング５に入射し、このグレーティング５により分光されて光電変換素子６の受光面に入射する。その結果、光学濃度計１においては、バンドパスフィルタ２０の光学的特性を反映した分光透過率データＤａが得られる。
【００３５】
次に、分光透過率データＤａが示す中心波長λａを求める。分光透過率の中心波長λａは、公知の方法で求めればよい。たとえば、バンドパスフィルタ２０の分光透過率曲線はガウス分布（正規分布）に近い曲線になる。このため、バンドパスフィルタ２０の分光透過率曲線をガウス関数で近似することにより、その中心波長λａを確定すればよい。
【００３６】
次に、先ほど求めた分光透過率の中心波長λａと予め設定された基準中心波長λｒとの波長ズレΔＷａを求める。基準中心波長λｒに関しては、少なくとも波長ズレを補正する前に、バンドパスフィルタ２０の分光透過率を校正用の基準濃度計（不図示）を用いて測定し、この測定によって得られた分光透過率データＤｒが示す中心波長を基準中心波長λｒとして設定すればよい。ただし、校正用の基準濃度計には、光学濃度計１ａ〜１ｅよりも高い精度で濃度を測定することが可能な濃度計を用いることとする。また、基準中心波長λｒは、一つのバンドパスフィルタ２０につき、一つだけ設定されるものとする。
【００３７】
次に、基準中心波長λｒに対する波長ズレΔＷａを補正する。具体的には、分光透過率データＤａが示す中心波長λａが、基準中心波長λｒに一致するように、波長補正量を設定する。たとえば、基準中心波長λｒに対して中心波長λａが長波長側にΔＷａだけずれている場合は、そのずれをなくすために波長補正値を−ΔＷａ（ｎｍ）に設定する。
【００３８】
こうして設定された波長補正値は、通常の測定モードで眼鏡レンズ７の濃度を測定するときに、光電変換素子６から出力された電気信号に基づく眼鏡レンズ７の分光透過率データを、たとえば波長補正値に基づく線形補間によって補正することにより、濃度測定値に反映される。具体例として、上述のように波長補正値を−ΔＷａ（ｎｍ）に設定した場合は、この波長補正値に応じて分光透過率データを見かけ上、短波長側にシフトさせた状態で、計測波長での濃度測定値を読み取る。このため、波長補正値を用いて波長ズレを補正した後は、補正後における分光透過率データＤａ′の中心波長を、分光透過率データＤｒの基準中心波長λｒに一致させた状態で、濃度測定値を読み取ることができる。
【００３９】
以上の波長ズレ補正処理を、他の光学濃度計１ｂ〜１ｅでも同様に実施する。
すなわち、光学濃度計１ｂによる測定では、分光透過率データＤｂが得られるため、この分光透過率データＤｂが示す中心波長λｂを求める。次に、上述した基準中心波長λｒに対する中心波長λｂの波長ズレΔＷｂを求めて、この波長ズレΔＷｂを波長補正値に設定する。図例では、基準中心波長λｒに対して中心波長λｂが短波長側にずれているため、そのずれをなくすために波長補正値を＋ΔＷｂ（ｎｍ）に設定する。これにより、波長補正値を用いて波長ズレを補正した場合は、補正後における分光透過率データＤｂ′の中心波長を、分光透過率データＤｒの基準中心波長λｒに一致させた状態で、濃度測定値を読み取ることができる。
【００４０】
また、光学濃度計１ｃによる測定では、分光透過率データＤｃが得られるため、この分光透過率データＤｃが示す中心波長λｃを求める。次に、上述した基準中心波長λｒに対する中心波長λｃの波長ズレΔＷｃを求めて、この波長ズレΔＷｃを波長補正値に設定する。図例では、基準中心波長λｒに対して中心波長λｃが短波長側にずれているため、そのずれをなくすために波長補正値を＋ΔＷｃ（ｎｍ）に設定する。これにより、波長補正値を用いて波長ズレを補正した場合は、補正後における分光透過率データＤｃ′の中心波長を、分光透過率データＤｒの基準中心波長λｒに一致させた状態で、濃度測定値を読み取ることができる。
【００４１】
また、光学濃度計１ｄによる測定では、分光透過率データＤｄが得られるため、この分光透過率データＤｄが示す中心波長λｄを求める。次に、上述した基準中心波長λｒに対する中心波長λｄの波長ズレΔＷｄを求めて、この波長ズレΔＷｄを波長補正値に設定する。図例では、基準中心波長λｒに対して中心波長λｄが長波長側にずれているため、そのずれをなくすために波長補正値を−ΔＷｄ（ｎｍ）に設定する。これにより、波長補正値を用いて波長ズレを補正した場合は、補正後における分光透過率データＤｄ′の中心波長を、分光透過率データＤｒの基準中心波長λｒに一致させた状態で、濃度測定値を読み取ることができる。
【００４２】
また、光学濃度計１ｅによる測定では、分光透過率データＤｅが得られるため、この分光透過率データＤｅが示す中心波長λｅを求める。次に、上述した基準中心波長λｒに対する中心波長λｅの波長ズレΔＷｅを求めて、この波長ズレΔＷｅを波長補正値に設定する。図例では、基準中心波長λｒに対して中心波長λｅが短波長側にずれているため、そのずれをなくすために波長補正値を＋ΔＷｅ（ｎｍ）に設定する。これにより、波長補正値を用いて波長ズレを補正した場合は、補正後における分光透過率データＤｅ′の中心波長を、分光透過率データＤｒの基準中心波長λｒに一致させた状態で、濃度測定値を読み取ることができる。
【００４３】
以上の方法により、複数の光学濃度計１ａ〜１ｅの相互間に生じる波長ズレを補正する。この補正方法においては、多波長分光器２の分光原理を利用して複数波長の濃度測定を同時に行える光学濃度計１でありながら、波長ズレを補正する場合は、多波長分光器２の光学系の中にバンドパスフィルタ２０を配置することにより、あたかもポリクロメータのように特定波長の光だけを光電変換素子６に入射し、それによって得られる分光透過率の中心波長と基準中心波長との波長ズレを補正している。また、波長ズレを補正する場合は、眼鏡レンズ７の代わりにバンドパスフィルタ２０を多波長分光器２の光路上にセットし、眼鏡レンズ７の濃度測定と同じ測定環境でバンドパスフィルタ２０の分光透過率を測定している。このため、光学部品の相対的な位置変化等に起因した補正の誤差を最小限に抑えることができる。その結果、多波長分光器２を用いた複数の光学濃度計１ａ〜１ｅの相互間に生じる波長ズレを、校正用の光源などの付加的な装備を要することなく、非常に簡易にしかも高精度に補正することが可能となる。
【００４４】
また、上述の補正方法により波長ズレを補正した複数の光学濃度計１ａ〜１ｅを眼鏡レンズ７の計測工程に用いることにより、補正前に比べて、器差の影響を格段に小さく抑えて眼鏡レンズ７の濃度を測定し計測することができる。これにより、眼鏡レンズ７の製造工場などに複数の光学濃度計１を設置して濃度測定を行う場合に、各々の光学濃度計１の測定誤差を許容範囲内に抑えたうえで、高精度な濃度測定を実現することができる。このため、眼鏡レンズ７の生産性向上と濃度測定の信頼性向上を両立させることが可能となる。このような効果は、眼鏡レンズ７を製造する場合に限らず、これ以外の光学製品を製造する場合にも同様に得られる。
【００４５】
図３は本発明の実施の形態に係る光学濃度計の補正方法を実施したときの、補正前後の濃度測定結果を示す図である。
この濃度測定では、透過波長がλｋ１（ｎｍ）のバンドパスフィルタを用いて、上記補正方法により５つの光学濃度計１ａ〜１ｅの波長ズレを補正した。その際、光学濃度計１ａの波長補正値は＋０．４ｎｍ、光学濃度計１ｂの波長補正値は−０．４ｎｍ、光学濃度計１ｃの波長補正値は−０．５ｎｍ、光学濃度計１ｄの波長補正値は＋０．４ｎｍ、光学濃度計１ｅの波長補正値は±０．０ｎｍであった。また、濃度補正値が０．５ｎｍ程度といった微小な値であっても、補正の前後で濃度が２％近く変動することが分かった。
これにより、補正前の濃度測定では、光学濃度計１ａ〜１ｅの相互間の波長ズレにより、同じバンドパスフィルタ２０を測定しているにもかかわらず、最大で３．７０の測定誤差が生じ、標準偏差が１．５５であったものが、補正後の濃度測定では、最大の測定誤差が１．１０％に抑えられ、標準偏差も０．３８となった。
【００４６】
図４は透過波長がλｋ１（ｎｍ）のバンドパスフィルタの分光透過率を５つの光学濃度計で測定した結果を示すもので、図中（Ａ）は波長ズレを補正する前の測定結果、（Ｂ）は波長ズレを補正した後の測定結果を示している。
図５は透過波長がλｋ２（ｎｍ）のバンドパスフィルタの分光透過率を５つの光学濃度計で測定した結果を示すもので、図中（Ａ）は波長ズレを補正する前の測定結果、（Ｂ）は波長ズレを補正した後の測定結果を示している。
図６は透過波長がλｋ３（ｎｍ）のバンドパスフィルタの分光透過率を５つの光学濃度計で測定した結果を示すもので、図中（Ａ）は波長ズレを補正する前の測定結果、（Ｂ）は波長ズレを補正した後の測定結果を示している。
図７は透過波長がλｋ４（ｎｍ）のバンドパスフィルタの分光透過率を５つの光学濃度計で測定した結果を示すもので、図中（Ａ）は波長ズレを補正する前の測定結果、（Ｂ）は波長ズレを補正した後の測定結果を示している。
図８は透過波長がλｋ５（ｎｍ）のバンドパスフィルタの分光透過率を５つの光学濃度計で測定した結果を示すもので、図中（Ａ）は波長ズレを補正する前の測定結果、（Ｂ）は波長ズレを補正した後の測定結果を示している。
これらの図からも分かるように、波長ズレを補正する前は、同じ透過波長のバンドパスフィルタを用いているにもかかわらず、各光学濃度計の測定結果に多少のバラツキ（器差）が生じているが、波長ズレを補正した後は、補正前に生じていたバラツキがかなり小さく抑えられている。
【００４７】
図９は本発明の他の実施の形態に係る「光学濃度計の補正方法」の一例を示す概念図である。
先述した実施の形態と相違する主な点は、波長ズレの補正に使用するバンドパスフィルタの個数にある。すなわち、先述した実施の形態では、複数の光学濃度計１ａ〜１ｅごとに、一つのバンドパスフィルタ２０を共通に用いて波長ズレを補正したが、他の実施の形態では、光の透過波長が異なる複数のバンドパスフィルタ２１〜２５を共通に用いて波長ズレを補正する点が異なる。
【００４８】
波長ズレの補正に用いるバンドパスフィルタの個数は適宜変更可能である。ただし、本実施の形態では５つのバンドパスフィルタ２１〜２５を用いることとしている。その理由は次のとおりである。本実施の形態においては、上述した眼鏡レンズ７の計測工程で光学濃度計１を使用することを想定しているため、波長ズレの補正に使用するバンドパスフィルタ２１〜２５の透過波長は、その計測工程で濃度測定の計測に使用する計測波長に対応させたものとなっている。具体的には、計測波長がλｋ１（ｎｍ）、λｋ２（ｎｍ）、λｋ３（ｎｍ）、λｋ４（ｎｍ）、λｋ５（ｎｍ）の５つであるとすると、バンドパスフィルタ２１の透過波長（中心波長）はλｋ１（ｎｍ）、バンドパスフィルタ２２の透過波長はλｋ２（ｎｍ）、バンドパスフィルタ２３の透過波長はλｋ３（ｎｍ）、バンドパスフィルタ２４の透過波長はλｋ４（ｎｍ）、バンドパスフィルタ２５の透過波長はλｋ５（ｎｍ）となっている。
【００４９】
以下、光学濃度計１ａを例に挙げて、５つのバンドパスフィルタ２１〜２５を用いた波長ズレの補正方法を説明する。
光学濃度計１ａの波長ズレを補正する場合は、複数のバンドパスフィルタ２１〜２５を順に用いて、バンドパスフィルタごとに、分光透過率の測定と、波長ズレの補正を行う。
バンドパスフィルタ２１〜２５を用いる順序は任意でかまわないが、ここでは一例として透過波長の短い方から順に１つずつ使用するものとする。
【００５０】
そうした場合、まず、バンドパスフィルタ２１を用いる場合は、このバンドパスフィルタ２１を光学濃度計１ａの多波長分光器２の光路上に配置し、その状態でバンドパスフィルタ２１の分光透過率を測定する。これにより、光学濃度計１ａにおいては、バンドパスフィルタ２１の分光透過率データＤ１が得られる。次に、分光透過率データＤ１が示す中心波長λ１と予め設定された基準中心波長λｒ１との波長ズレΔＷ１を求め、この波長ズレΔＷ１を、波長補正値（＋ΔＷ１）の設定により補正する。このとき用いる基準中心波長λｒ１は、波長ズレの補正に先立って、バンドパスフィルタ２１の分光透過率を上述した校正用の基準濃度計を用いて測定したときに得られる分光透過率データＤｒ１が示す中心波長である。これにより、バンドパスフィルタ２１の透過波長で被計測物の濃度を測定する際の光学濃度計１ａの波長ズレΔＷ１が補正される。
【００５１】
次に、バンドパスフィルタ２２を用いて、上記同様の処理を行う。すなわち、光学濃度計１ａの多波長分光器２の光路上にバンドパスフィルタ２２を配置して、その分光透過率を測定する。次いで、測定により得られた分光透過率データＤ２が示す中心波長λ２と予め設定された基準中心波長λｒ２との波長ズレΔＷ２を求め、この波長ズレΔＷ２を、波長補正値（＋ΔＷ２）の設定により補正する。このとき用いる基準中心波長λｒ２は、波長ズレの補正に先立って、バンドパスフィルタ２２の分光透過率を上述した校正用の基準濃度計を用いて測定したときに得られる分光透過率データＤｒ２が示す中心波長である。これにより、バンドパスフィルタ２２の透過波長で被計測物の濃度を測定する際の光学濃度計１ａの波長ズレΔＷ２が補正される。
【００５２】
以降は、バンドパスフィルタ２３，２４，２５を順に用いて、上記同様の処理を行う。これにより、バンドパスフィルタ２３を用いた場合は、バンドパスフィルタ２３の透過波長で被計測物の濃度を測定する際の光学濃度計１ａの波長ズレΔＷ３が補正される。また、バンドパスフィルタ２４を用いた場合は、バンドパスフィルタ２４の透過波長で被計測物の濃度を測定する際の光学濃度計１ａの波長ズレΔＷ４が補正され、バンドパスフィルタ２５を用いた場合は、バンドパスフィルタ２５の透過波長で被計測物の濃度を測定する際の光学濃度計１ａの波長ズレΔＷ５が補正される。
【００５３】
以上の補正処理を、他の光学濃度計１ｂ〜１ｅでも同様に実施する。
これにより、複数の光学濃度計１ａ〜１ｅの相互間に生じる波長ズレを、先述した実施の形態よりも高い精度で補正することができる。すなわち、先述した実施の形態においては、一つのバンドパスフィルタ２０を用いて、すべての波長域の波長ズレを同一の波長補正値を適用して一様に補正している。これに対して、他の実施の形態においては、複数のバンドパスフィルタ２１〜２５を用いて、各々の波長域ごとに、異なる波長補正値を適用して波長ズレを補正している。このため、波長ズレの補正精度を高めることができる。
【００５４】
また、他の実施の形態においては、上述した計測工程で眼鏡レンズの濃度測定に使用する計測波長にあわせて、波長ズレの補正に用いるバンドパスフィルタ２１〜２５の透過波長を設定している。このため、眼鏡レンズの濃度測定に使用する計測波長ごとに、対応するバンドパスフィルタ２１〜２５を用いて、波長ズレを精度良く補正することができる。したがって、眼鏡レンズの濃度測定とその測定結果に基づく良否判定を高い信頼性をもって行うことができる。
【００５５】
なお、上記各実施の形態においては、波長ズレの補正に用いるバンドパスフィルタの分光透過率を校正用の基準濃度計を用いて測定し、この測定によって得られた分光透過率データが示す中心波長を基準中心波長として設定しているが、本発明はこれに限らない。たとえば上記図２において、共通のバンドパスフィルタ２０の分光透過率を複数の光学濃度計１ａ〜１ｅで測定したときに得られる分光透過率データＤａ〜Ｄｅの中心波長λａ〜λｅを求め、それらの中心波長λａ〜λｅの平均値を基準中心波長として設定してもよい。この場合は、校正用の基準濃度計を使用することなく、基準中心波長を設定することが可能となる。ただし、各々の光学濃度計１ａ〜１ｅの経時的な状態変化等に依存することなく、基準中心波長を適切に設定するうえでは、校正用の基準濃度計を用いたほうがよい。
【符号の説明】
【００５６】
１（１ａ〜１ｅ）…光学濃度計
２…多波長分光器
３…光源
４…スリット
５…グレーティング
６…光電変換素子
７…眼鏡レンズ
１１…データ処理部
１２…操作部
１３…表示部
１４…制御部
２０〜２５…バンドパスフィルタ
【図１】
2014145664.tif 000003
【図２】
2014145664.tif 000004
【図３】
2014145664.tif 000005
【図９】
2014145664.tif 000006
【図４】
2014145664.tif 000007
【図５】
2014145664.tif 000008
【図６】
2014145664.tif 000009
【図７】
2014145664.tif 000010
【図８】
2014145664.tif 000011